(57)【要約】【課題】設置物の種類によって取付け脚間隔が大きく変動する場合でも、荷重負担の増大を招来することなく、据付け作業を能率良く容易に行うことができるようにする。【解決手段】設置物を載置支持する下向き開口の合成樹脂製の据付け台を、載置部３ａを備えた第１基台３と載置部４ａを備えた第２基台４とに長手方向で二分割し、両基台３，４を長手方向で伸縮自在に連結する連結手段Ａが設けられている。【選択図】        図３
2004278897.tif 000002
【特許請求の範囲】
【請求項１】
設置物を載置支持する下向き開口の合成樹脂製の据付け台であって、
載置部を備えた第１基台と載置部を備えた第２基台とに長手方向で二分割し、両基台を長手方向で伸縮自在に連結する連結手段が設けられている設置物の据付け台。
【請求項２】
前記連結手段が、長手方向に沿って伸縮自在に嵌合連結される状態で両基台の相対向する側壁部に連設される連結部と、嵌合連結された両連結部を伸縮調節範囲の複数位置で選択的に係合保持可能な位置保持機構から構成されている請求項１記載の設置物の据付け台。
【請求項３】
前記基台及びそれに連設された連結部が、同一種類の他の基台及びそれに連設された連結部に対して積み重ね状態で嵌合可能な下広がりの下向き開口に構成されている請求項１又は請求項２記載の設置物の据付け台。
【請求項４】
前記位置保持機構が、第１基台の内嵌側連結部の天井壁部に形成された上下方向に弾性変形可能な可動壁部と、該可動壁部に対して長手方向に相対移動自在に外嵌する状態で第２基台の外嵌側連結部に形成された筒状ガイド部を備え、かつ、筒状ガイド部と可動壁部との相対向する部位に、長手方向に所定ピッチで形成された複数の係止溝と、係止溝に対して選択的に係合可能な係止突起を設けて構成されている請求項１〜３のいずれか１項に記載の設置物の据付け台。
【請求項５】
前記第２基台の外嵌側連結部における左右の側壁部の下端部には、左右方向の内方側に向かって突出する係止部が形成されているとともに、第１基台の内嵌側連結部における左右の側壁部には、両連結部が嵌合したとき係止部が係入し、かつ、その係入した係止部との当接によって両連結部の伸縮移動範囲を規制するガイド部が形成されている請求項２〜４のいずれか１項に記載の設置物の据付け台。
【発明の詳細な説明】
【０００１】
【発明の属する技術分野】
本発明は、空調用室外機等の設置物を載置支持する下向き開口の合成樹脂製の据付け台に関する。
【０００２】
【従来の技術】
設置物の一例である空調用室外機の底部には、前後及び左右方向に間隔を隔てて合計４つの取付け脚が設けられており、かつ、取付け脚の前後方向間隔が左右方向間隔よりも短いため、前後方向で対をなす両取付け脚を一台の据付け台で支持する施工方法が採られている。
【０００３】
そのため、従来の据付け台では、空調用室外機の両取付け脚を載置支持する偏平面状の載置部を形成してある前後の矩形錐台状の台部と、両台部の相対向する側壁部同士を繋ぐ高さの小さな繋ぎ部とを合成樹脂で一体成形するとともに、一方の載置部の前後方向に沿う中心線上で、かつ、それの中央位置よりも他方の載置部から離れる側に偏位した部位には、取付け脚に形成された取付け孔に係合可能な位置決め用突起を形成していた（例えば、特許文献１〜３参照）。
【０００４】
【特許文献１】
特開平９−１３７９７１号公報（第３頁、図１）
【特許文献２】
意匠登録第１０８２１３０号公報
【特許文献３】
意匠登録第１１１８６３２号公報
【０００５】
【発明が解決しようとする課題】
この種の据付け台では、前後一対の矩形錐台状の台部とそれらよりも高さの小さな繋ぎ部とから一体成形されているため、例えば、据付け台の上面全体が、空調用室外機の両取付け脚を同時に載置支持可能な一連の偏平面に構成されている場合に比較して、据付け台の機械的強度を高めることができるものの、据付け台の前後長は、取付け脚の前後方向間隔が最も長い空調用室外機に基づいて製作されているため、取付け脚の前後方向間隔が最も短い空調用室外機の場合では、取付け脚が空調用室外機よりも外方に大きく突出し、歩行の障害になる可能性がある。
【０００６】
しかも、一方の載置部に形成された位置決め用突起に、空調用室外機の一方の取付け脚の貫通孔を係合させたとき、他方の取付け脚と他方の載置部との接触面積が極端に少なくなり、単位面積当りの荷重負担が増大する不都合がある。そのため、位置決め用突起を使用せずに、一方の載置部の載置面に新たな取付け孔を貫通形成して、それに載置された取付け脚をボルト・ナットで締付け固定する必要があり、据付け作業能率の低下を招来していた。
【０００７】
本発明は、上述の実状に鑑みて為されたものであって、その主たる課題は、設置物の種類によって取付け脚間隔が大きく変動する場合でも、荷重負担の増大を招来することなく、据付け作業を能率良く容易に行うことのできる据付け台を提供する点にある。
【０００８】
【課題を解決するための手段】
本発明の請求項１による特徴構成は、設置物を載置支持する下向き開口の合成樹脂製の据付け台であって、
載置部を備えた第１基台と載置部を備えた第２基台とに長手方向で二分割し、両基台を長手方向で伸縮自在に連結する連結手段が設けられている点にある。
【０００９】
上記特徴構成によれば、設置物の種類によって取付け脚間隔が大きく変動しても、その取付け脚の間隔に応じて両基台を長手方向で伸縮操作することにより、第１基台の載置部と第２基台の載置部との間隔を、設置物の両取付け脚を載置支持するのに最も適した間隔に変更することができる。
【００１０】
従って、設置物の種類によって取付け脚間隔が大きく変動する場合でも、荷重負担の増大を招来することなく、据付け台に付加されている機能を利用して据付け作業を能率良く容易に行うことができる。
【００１１】
本発明の請求項２による設置物の据付け台の特徴構成は、前記連結手段が、長手方向に沿って伸縮自在に嵌合連結される状態で両基台の相対向する側壁部に連設される連結部と、両連結部を伸縮調節範囲の複数位置で選択的に係合保持可能な位置保持機構から構成されている点にある。
【００１２】
上記特徴構成によれば、両基台の相対向する側壁部に連設された連結部を伸縮自在に嵌合連結することにより、両基台の長手方向に対して交差する方向への相対移動を阻止することができるとともに、位置保持機構によって両基台を伸縮調節後の位置関係に係合保持することができるので、取り扱いの容易化と据付け作業能率の向上を図ることができる。
【００１３】
本発明の請求項３による設置物の据付け台の特徴構成は、前記基台及びそれに連設された連結部が、同一種類の他の基台及びそれに連設された連結部に対して積み重ね状態で嵌合可能な下広がりの下向き開口に構成されている点にある。
【００１４】
上記特徴構成によれば、分割された基台単位で積み重ね嵌合させることができるとともに、両基台の連結部同士が嵌合連結されている場合でも、内嵌側の連結部の先端が基台の内部空間内に入り込まない伸縮調節範囲内においては、嵌合連結されている他の両基台及び両連結部に対して嵌合状態で積み重ねることもできるから、輸送や管理を有利に行うことができる。
【００１５】
本発明の請求項４による設置物の据付け台の特徴構成は、前記位置保持機構が、第１基台の内嵌側連結部の天井壁部に形成された上下方向に弾性変形可能な可動壁部と、該可動壁部に対して相対移動自在に外嵌する状態で第２基台の外嵌側連結部に形成された筒状ガイド部とを備え、かつ、筒状ガイド部と可動壁部との相対向する部位に、長手方向に所定ピッチで形成された複数の係止溝と、係止溝に対して選択的に係合可能な係止突起を設けて構成されている点にある。
【００１６】
上記特徴構成によれば、複数の係止溝に対する係止突起の選択的な係合により、両基台を伸縮調節範囲の任意の位置で係合保持することができるばかりでなく、その選択係合を許容するための弾性変位構造を、内嵌側連結部の天井壁部を利用して形成された上下方向に弾性変形可能な可動壁部をもって構成することができ、しかも、この可動壁部と基台の外嵌側連結部に形成された筒状ガイド部との外嵌により、両基台の伸縮移動を案内することができる。
【００１７】
従って、両基台を伸縮調節範囲の任意の位置で係合保持するための位置保持機構を利用して、両基台の伸縮操作をスムーズに行うことができるとともに、位置保持機構の簡素化及び製造コストの低廉化を図ることができる。
【００１８】
本発明の請求項５による設置物の据付け台の特徴構成は、前記第２基台の外嵌側連結部における左右の側壁部の下端部に、左右方向の内側に向かって突出する係止部が形成されているとともに、第１基台の内嵌側連結部における左右の側壁部には、両連結部が嵌合したとき係止部が係入し、かつ、その係入した係止部との当接によって両連結部の伸縮移動範囲を規制するガイド部が形成されている点にある。
【００１９】
上記特徴構成によれば、第１基台の内嵌側連結部に対して第２基台の外嵌側連結部を上方から押し込み操作すると、内嵌側連結部の左右側壁部に接触している係止部及び外嵌側連結部の左右側壁部が弾性変形し、両連結部が所定姿勢に嵌合したとき各係止部が内嵌側連結部の左右側壁部に形成されたガイド部に係合するから、両連結部の抜止め状態での嵌合操作を迅速、容易に行うことができる。しかも、係合状態では、内嵌側連結部の左右側壁部と外嵌側連結部の左右側壁部とが互いに密着して挾持状態になるため、ガタのないスムーズな伸縮作動が可能であるとともに、両基台にこじれ方向の外力が作用しても、両基台を嵌合状態に維持することができる。
【００２０】
【発明の実施の形態】
〔第１実施形態〕
図１〜図６は、設置物の一例である空調用室外機１の底部側の４箇所に設けられた取付け脚２のうち、前後方向で対をなす両取付け脚２を載置支持するための前後一対の偏平面状の載置部３ａ，４ａを備えた下向き開口の合成樹脂製の据付け台を示し、一方の載置部３ａを備えた矩形錐台状の第１基台３と他方の載置部４ａを備えた矩形錐台状の第２基台４とに長手方向で二分割されているとともに、両基台３，４を長手方向に沿って伸縮自在に嵌合連結する連結手段Ａが、長手方向に沿って伸縮自在に嵌合連結される状態で両基台３，４の前後方向で相対向する側壁部３Ｂ，４Ｂに連設された下向き開口の半六角筒形状の第１・第２連結部５，６と、両連結部５，６を伸縮調節範囲の複数位置で選択的に係合保持可能な位置保持機構７とから構成されている。
【００２１】
前記第１基台３は、図３〜図６に示すように、偏平面状の載置部３ａを構成する矩形状の天井壁部３Ａと、下広がりの傾斜姿勢でハの字状に対設される前後一対の側壁部３Ｂ、下広がりの傾斜姿勢でハの字状に対設される左右一対の側壁部３Ｃ、各側壁部３Ｂ，３Ｃの下端から外方に突出形成された接地フランジ３Ｄ、天井壁部３Ａの内面側に形成される格子状の補強リブ３Ｅとが合成樹脂にて一体成形されているとともに、載置部３ａの前後方向の中心線上で、かつ、それの中央位置よりも第２基台４から離れる側に偏位する部位には、取付け脚２に形成された取付け孔２ａに係合可能な位置決め用突起３Ｆが一体形成されている。
【００２２】
前記第１連結部５は、図３〜図６に示すように、矩形状の天井壁部５Ａと、下広がりの傾斜姿勢でハの字状に対設される左右一対の側壁部５Ｂ、及び、それらの先端側に連設される補強側壁部５Ｃとが、第１基台３の一方の側壁部３Ｂ及び接地フランジ３Ｄに連続する状態で合成樹脂にて一体成形されているとともに、第１基台３及び第１連結部５が、他の第１基台３及びそれに連設された第１連結部５に対して積み重ね状態で嵌合可能に構成されている。
【００２３】
前記第２基台４は、図３〜図６に示すように、偏平面状の載置部４ａを構成する矩形状の天井壁部４Ａと、下広がりの傾斜姿勢でハの字状に対設される前後一対の側壁部４Ｂ、下広がりの傾斜姿勢でハの字状に対設される左右一対の側壁部４Ｃ、各側壁部４Ｂ，４Ｃの下端から外方に突出形成された接地フランジ４Ｄ、天井壁部４Ａの内面側に形成される格子状の補強リブ４Ｅとが合成樹脂にて一体成形されている。
【００２４】
前記第２連結部６は、図３〜図６に示すように、矩形状の天井壁部６Ａと、下広がりの傾斜姿勢でハの字状に対設される左右一対の側壁部６Ｂとが、第２基台４の一方の側壁部４Ｂ及び接地フランジ４Ｄに連続する状態で合成樹脂にて一体成形されているとともに、第２基台４及び第２連結部６が、他の第２基台４及びそれに連設された第２連結部６に対して積み重ね状態で嵌合可能に構成されている。
【００２５】
前記第１基台３の第１連結部５と第２基台４の第２連結部６とが嵌合連結されている場合、図３〜図５の各（ロ）に示すように、第１連結部５の先端が第２基台４の内部空間内に入り込まない伸縮調節範囲内においては、嵌合連結されている他の両基台３，４及び両連結部５，６に対して積み重ね状態で嵌合可能に構成されている。
【００２６】
前記第２基台４の外嵌側となる第２連結部６における左右の側壁部６Ｂの下端部の各々には、図６に示すように、左右方向の内方側に向かって水平に突出する板状の係止部６Ｃが一体形成されているとともに、第１基台３の内嵌側である第１連結部５における左右の側壁部５Ｂには、両連結部５，６が上下方向から嵌合したとき係止部６Ｃが係入し、かつ、その係入した係止部６Ｃとの当接によって両連結部５，６の伸縮移動範囲を規制する下向き開口のガイド部５Ｆが形成されている。
【００２７】
そのため、第１基台３の内嵌側である第１連結部５に対して第２基台４の外嵌側である第２連結部６を上方から押し込み操作すると、第１連結部５の左右側壁部５Ｂに接触している一対の係止部６Ｃ及び第２連結部６の左右側壁部６Ｂが弾性変形し、両連結部５，６が所定姿勢に嵌合したとき各係止部６Ｃが第１連結部５の左右側壁部５Ｂに形成されたガイド部５Ｆに係合するから、両連結部５，６の抜止め状態での嵌合操作を迅速、容易に行うことができる。
【００２８】
しかも、係合状態では、内嵌側である第１連結部５の左右側壁部５Ｂと外嵌側である第２連結部６の左右側壁部６Ｂとが互いに密着して挾持状態になるため、ガタのないスムーズな伸縮作動が可能であるとともに、両基台３，４にこじれ方向の外力が作用しても、両基台３，４を嵌合状態に維持することができる。
【００２９】
前記位置保持機構７を構成するに、第１基台３の内嵌側である第１連結部５の天井壁部５Ａに、第１基台３側に向かって開口する平面視略コの字状の切り込み溝５Ｄを形成して、この切り込み溝５Ｄで囲まれた部位に上下方向に弾性変形可能な可動壁部５Ｅを構成するとともに、第２連結部６の天井壁部６Ａには、可動壁部５Ｅに対して前後方向に相対移動自在に外嵌する筒状ガイド部６Ｄが一体成形され、更に、可動壁部５Ｅの内面には、長手方向に沿って所定ピッチで複数の係止溝７ａが形成され、これに上下方向で相対向する筒状ガイド部６Ｄの内面には、係止溝７ａに対して選択的に係合可能な三角形状の係止突起７ｂが突設されている。
【００３０】
前記切り込み溝５Ｄには、第１基台３の第１連結部５と第２基台４の第２連結部６とが伸縮調節範囲の最大引出し位置にあるとき、第１基台３の第１連結部５に対する第２基台４の第２連結部６の上方からの押し込みによる嵌合操作に連れて、筒状ガイド部６Ｄの係入を許容する装着口８が形成されている。
【００３１】
前記可動壁部５Ｅとこれに外嵌された筒状ガイド部６Ｄとの間には、可動壁部５Ｅの弾性変形による係止突起７ｂと係止溝７ａとの係合解除を許容する融通，換言すれば、係止突起７ｂと係止溝７ａとを係合解除するための可動壁部５Ｅの弾性変形による作動空間が形成されている。
【００３２】
そして、空調用室外機１を二個の据付け台を用いて据付ける場合、図１に示すように、両基台３，４の載置部３ａ，４ａ上において空調用室外機１の両取付け脚２が均等又は略均等に載置されるように、両取付け脚２の前後間隔に応じて、第１基台３の載置部３ａに形成された位置決め用突起３Ｆを据付け基準としながら両基台３，４を伸縮調節するとともに、第２基台４の載置部４ａのうち、他方の取付け脚２に形成されている取付け孔２ａに対応する部位に電動ドリル等の穿孔機で貫通孔９を形成し、一方の取付け脚２の取付け孔２ａを第１基台３の載置部３ａに形成された位置決め用突起３Ｆに係合させるとともに、他方の取付け脚２の取付け孔２ａ及び第２基台４の載置部４ａに形成された貫通孔９に亘って挿通されたボルト・ナット１０，１１により、他方の取付け脚２を第１基台３の載置部３ａに締付け固定する。
【００３３】
〔その他の実施形態〕
（１）前記位置保持機構７としては、上述の第１実施形態の構造に限定されるものではなく、両連結部５，６を伸縮調節範囲の複数位置で選択的に係合保持することのできる構造であればよい。
【００３４】
（２）上述の第１実施形態では、第１基台３の第１連結部５に対する第２基台４の第２連結部６を上方から押し込み操作することにより嵌合装着したが、第１基台３の第１連結部５と第２基台４の第２連結部６とを前後方向からの差し込み操作により嵌合装着するように構成してもよい。
【００３５】
（３）上述の第１実施形態では、可動壁部５Ｅの内面に係止溝７ａを形成し、筒状ガイド部６Ｄの内面に係止突起７ｂを形成したが、可動壁部５Ｅの内面に、長手方向に沿って所定ピッチで複数の係止突起７ｂを形成し、これに上下方向で相対向する筒状ガイド部６Ｄの内面に、係止突起７ｂに対して選択的に係合可能な係止溝７ａを形成してもよい。
【００３６】
（４）上述の第１実施形態では、連結手段Ａを、長手方向に沿って伸縮自在に嵌合連結される状態で両基台３，４の前後方向で相対向する側壁部３Ｂ，４Ｂに連設された第１・第２連結部５，６と、両連結部５，６を伸縮調節範囲の複数位置で選択的に係合保持可能な位置保持機構７とから構成したが、この位置保持機構７を設けずに、第１・第２連結部５，６のみから構成してもよい。
【図面の簡単な説明】
【図１】本発明の据付け台の第１実施形態を示す据付け作業終了時の断面側面図
【図２】据付け台を積み重ねたときの断面側面図
【図３】（イ）は最大収縮状態を示す断面側面図
（ロ）は最大引出し状態を示す断面側面図
【図４】（イ）は最大収縮状態を示す平面図
（ロ）は最大引出し状態を示す平面図
【図５】（イ）は最大収縮状態を示す底面図
（ロ）は最大引出し状態を示す底面図
【図６】分離状態での斜視図
【符号の説明】
Ａ      連結手段
１      設置物（空調用室外機）
３      第１基台
３Ｂ    側壁部
３Ｃ    側壁部
４      第２基台
４Ｂ    側壁部
４Ｃ    側壁部
５      第１連結部（内嵌側連結部）
５Ａ    天井壁部
５Ｂ    側壁部
５Ｅ    可動壁部
５Ｆ    ガイド部
６      第２連結部（外嵌側連結部）
６Ｂ    側壁部
６Ｃ    係止部
６Ｄ    筒状ガイド部
７      位置保持機構
７ａ    係止溝
７ｂ    係止突起
【図１】
2004278897.tif 000003
【図２】
2004278897.tif 000004
【図３】
2004278897.tif 000005
【図４】
2004278897.tif 000006
【図５】
2004278897.tif 000007
【図６】
2004278897.tif 000008